(57)【要約】【課題】本発明は、円筒ケースに螺旋溝を形成して、円筒ケースと固定子との結合を強固にすることを目的とする。【解決手段】本発明によるモータケース及びモータステータ構造は、円筒ケース（１）の内周面（１ａ）に形成した螺旋溝（２０）の内側に固定子（４）を挿入し、樹脂（４Ａ）を螺旋溝（２０）内に注入することにより、円筒ケース（１）に対する固定子（４）の回転及び抜け止めを達成する構成である。【選択図】        図３
2004159395.tif 000002
【特許請求の範囲】
【請求項１】
円筒ケース（１）内に固定子（４）を設け、前記固定子（４）を前記円筒ケース（１）に固定するようにしたモータケースにおいて、
前記円筒ケース（１）の内周面（１ａ）に螺旋溝（２０）を有することを特徴とするモータケース。
【請求項２】
円筒ケース（１）内に固定子（４）を設け、前記固定子（４）を樹脂（４Ａ）で封止するようにしたモータステータ構造において、
前記円筒ケース（１）の内周面（１ａ）に形成された螺旋溝（２０）を有し、前記螺旋溝（２０）内に前記樹脂（４Ａ）を流し込むように構成したことを特徴とするモータステータ構造。
【請求項３】
前記螺旋溝（２０）は、前記内周面（１ａ）の軸方向における全軸長（２１）のうち半分だけに形成されていることを特徴とする請求項２記載のモータステータ構造。
【発明の詳細な説明】
【０００１】
【発明の属する技術分野】
本発明は、モータケース及びモータステータ構造に関し、特に、円筒ケースの内周面に螺旋溝を形成し、固定子を樹脂封止する時に、樹脂をこの螺旋溝に流し込み、固定子の抜け止めと固定を同時に行うための新規な改良に関する。
【０００２】
【従来の技術】
従来、用いられていたこの種のモータステータ構造としては、社内製作品であるため、文献名等は開示していないが、図４から図６で示される構成を挙げることができる。
すなわち、図４において符号１で示されるものは全体形状が円筒状をなす円筒ケースであり、この円筒ケース１の側部には、軸方向と直交する径方向に沿って形成されたねじ孔２が複数形成されている。
【０００３】
前記円筒ケース１内には、ステータ巻線３を有する固定子４が圧入され、前記各ねじ孔２に螺合されたねじ５が前記固定子４の周面に当接することによって、前記固定子４と円筒ケース１が一体状に係止される。
【０００４】
前記円筒ケース１は、縮小してあるが、図５の外観及び図６の断面で示されるように構成され、前記ねじ孔２は図５で示されるように構成されている。
前記円筒ケース１の各端面には、軸方向に沿って形成された取付ねじ孔６が複数形成されている。
【０００５】
前記円筒ケース１の両端には、前蓋７と後蓋８が設けられ、取付ねじ９によって各々円筒ケース１に固定されている。
前記前蓋７及び後蓋８に設けられた一対の軸受１０、１１間には、ロータ１２を有する回転軸１３が回転自在に設けられている。
【０００６】
前記固定子４には、樹脂４Ａがモールド状に形成されており、この樹脂４Ａによって前記ステータ巻線３は固定子４と一体に固定されている。尚、この樹脂４Ａは、図示しないモールド型を用いて樹脂４Ａを流し込むことにより成形されている。
【０００７】
【発明が解決しようとする課題】
従来のモータケース及びモータステータ構造は、以上のように構成されていたため、次のような課題が存在していた。
すなわち、固定子と円筒ケースを一体状に固定するために、円筒ケースに形成したねじ孔に取付ねじを螺入して固定しなければならず、ねじ孔に対するねじ加工が必要で、段取り替又は専用の加工設備が必要となり、円筒ケースの大量生産にとって多大な支障となっていた。
【０００８】
本発明は、以上のような課題を解決するためになされたもので、特に、円筒ケースの内周面に螺旋溝を形成し、固定子を樹脂封止する時に、樹脂をこの螺旋溝に流し込み、固定子の抜け止めと固定を同時に行うようにしたモータケース及びモータステータ構造を提供することを目的とする。
【０００９】
【課題を解決するための手段】
本発明によるモータケースは、円筒ケース内に固定子を設け、前記固定子を前記円筒ケースに固定するようにしたモータケースにおいて、前記円筒ケースの内周面に螺旋溝を有する構成であり、また、本発明によるモータステータ構造は、前記円筒ケース内に固定子を設け、前記固定子を樹脂で封止するようにしたモータステータ構造において、前記円筒ケースの内周面に形成された螺旋溝を有し、前記螺旋溝内に前記樹脂を流し込むようにした構成であり、また、前記螺旋溝は、前記内周面の軸方向における全軸長のうち半分だけに形成されている構成である。
【００１０】
【発明の実施の形態】
以下、図面と共に本発明によるモータケース及びモータステータ構造の好適な実施の形態について説明する。尚、従来例と同一又は同等部分には同一符号を付して説明する。
図１から図３迄は、本発明によるモータケース及びモータステータ構造を示すものである。
図１において符号１で示されるものは全体形状が円筒状をなす円筒ケースであり、この円筒ケース１の両端には、軸方向に沿って形成された取付ねじ孔６が各々設けられている。
【００１１】
前記円筒ケース１の内周面１ａには、螺旋状に形成された螺旋溝２０が形成され、この螺旋溝２０は、一例として、円筒ケース１の一方の端面１Ａ側から、その軸方向における全軸長２１の半分だけに形成されている。すなわち、この螺旋溝２０は図１の固定子４の軸長とほぼ一致している。
【００１２】
前記円筒ケース１内には、ステータ巻線３を有する固定子４が圧入され、この固定子４の外周面４Ｂが前記螺旋溝２０の内面に接合している。
前述の状態で、固定子４に成形型（図示せず）を装着した状態で、溶融した樹脂４Ａをこの成形型の中に注入すると、この樹脂４Ａは、前記螺旋溝２０内に流し込まれて固定子４の反対の端面側にも供給され、この成形型内全体に行き渡り、固定子４とステータ巻線３とを図１の断面で示されるように固着することができる。
同時に、前記螺旋溝２０内に流し込まれた樹脂４Ａは、直接前記固定子４の外周面４Ｂと接して強固に接合し、固定子４と円筒ケース１との強力な一体固着が達成される。
【００１３】
【発明の効果】
本発明によるモータケース及びモータステータ構造は、以上のように構成されているため、次のような効果を得ることができる。
すなわち、円筒ケースの内周面に螺旋溝が形成されているため、注入された樹脂がこの螺旋溝を経て反対側にも十分に供給され、固定子と円筒ケースの強固な一体接合が出来る。
また、螺旋溝内の樹脂が円筒ケースの内周面に強固に接合し、円筒ケースに対する固定子の回転及び抜けを防止することができる。
従来のような円筒ケースへのねじ孔が不要となるため、防水及び防塵機能を向上できる。また、このねじ孔を埋める等の作業が不要となる。
【図面の簡単な説明】
【図１】本発明によるモータケース及びモータステータ構造を示す断面図である。
【図２】図１の円筒ケースの縮小外観図である。
【図３】図２の断面図である。
【図４】従来構成を示す断面図である。
【図５】図４の円筒ケースの縮小断面図である。
【図６】図５の断面図である。
【符号の説明】
１    円筒ケース
１ａ    内周面
４    固定子
４Ａ    樹脂
２０    螺旋溝
【図１】
2004159395.tif 000003
【図２】
2004159395.tif 000004
【図３】
2004159395.tif 000005
【図４】
2004159395.tif 000006
【図５】
2004159395.tif 000007
【図６】
2004159395.tif 000008